(57)【要約】  セルラー・ネットワーク（１１）の複数のマクロ・セル（１３）の少なくとも１つを制御する複数のマクロ基地局（１５）と、セルラー・ネットワーク（１１）の少なくとも１つのピコ・セル（１９）を制御する少なくとも１つのピコ基地局（２１）とを含むセルラー通信ネットワーク（１１）においてセル間干渉調整するための方法であって、前記ピコ・セル（１９）は、少なくとも１つのマクロ・セル（１３）内に少なくとも部分的に位置し、前記方法は、セルラー・ネットワーク（１１）の無線伝送資源（５３）の第１の部分（Ｂ１）および前記伝送資源（５３）の第２の部分（Ｂ２）を前記複数のマクロ基地局（１５）のそれぞれに割り当てて、前記伝送資源（５３）の第１の部分（Ｂ１）および第２の部分（Ｂ２）を使用して無線信号を伝送するステップ（５７）と、第２の部分（Ｂ２）を使用して伝送される無線信号の最大伝送パワーを第１の部分（Ｂ１）を使用して伝送される信号の最大送信パワー（Ｐｆ）より小さい送信パワー範囲（Ｐｒｅｄ）に制限するステップとを含む。セルラー・ネットワーク（１１）の全体的なスループットおよび／またはセルラー・ネットワーク（１１）の伝送資源（５３）のスペクトル効率を改善するために、方法は、前記伝送資源（５３）の第２の部分（Ｂ２）をピコ基地局（２１）に割り当てて、前記伝送資源の第２の部分（Ｂ２）を使用して無線信号を伝送するステップ（５９）をさらに含む。
2013537385.tif 000002
【特許請求の範囲】
【請求項１】
セルラー・ネットワーク（１１）の複数のマクロ・セル（１３）の少なくとも１つを制御する複数のマクロ基地局（１５）と、前記セルラー・ネットワーク（１１）の少なくとも１つのピコ・セル（１９）を制御する少なくとも１つのピコ基地局（２１）とを含む前記セルラー通信ネットワーク（１１）においてセル間干渉調整するための方法であって、前記ピコ・セル（１９）は、少なくとも１つのマクロ・セル（１３）内に少なくとも部分的に位置し、前記方法は、
前記セルラー・ネットワーク（１１）の無線伝送資源（５３）の第１の部分（Ｂ１；Ｆ１、…、Ｆ３、Ｆ５、…、ＦＮ）および前記伝送資源（５３）の第２の部分（Ｂ２；Ｆ４）を前記複数のマクロ基地局（１５）のそれぞれに割り当てて、前記伝送資源（５３）の前記第１の部分（Ｂ１；Ｆ１、…、Ｆ３、Ｆ５、…、ＦＮ）および前記第２の部分（Ｂ２；Ｆ４）を使用して無線信号を伝送するステップ（５７）と、
前記第２の部分（Ｂ２；Ｆ４）を使用して伝送される前記無線信号の伝送パワーを前記第１の部分（Ｂ１；Ｆ１、…、Ｆ３、Ｆ５、…、ＦＮ）を使用して伝送される前記信号の最大送信パワー（Ｐｆ）より小さい送信パワー範囲（Ｐｒｅｄ）に制限するステップと
を含み、
前記伝送資源（５３）の前記第２の部分（Ｂ２；Ｆ４）を前記ピコ基地局（２１）に割り当てて、前記伝送資源の前記第２の部分（Ｂ２；Ｆ４）を使用して前記無線信号を伝送するステップ（５９）
をさらに含む方法。
【請求項２】
前記第１の部分は、前記伝送資源（５３）の第１の周波数範囲（Ｂ１）に対応し、かつ／または前記第２の部分は、前記伝送資源（５３）の第２の周波数範囲（Ｂ２）に対応する請求項１に記載の方法。
【請求項３】
前記セルラー・ネットワーク（１１）は、複数のピコ基地局（１９）のグループを含み、前記方法は、前記伝送資源（５３）の前記第２の部分（Ｂ２；Ｆ４）を前記グループのすべてのピコ基地局（１９）に割り当てるステップ（５９）を含む請求項１または２に記載の方法。
【請求項４】
マクロ基地局（１５）および／または前記ピコ基地局（２１）に登録された少なくとも１つの端末（１７）に関係する通信トラフィック（６０）の少なくとも１つの特性（ｓｂ、ｓｔ）を決定するステップと、前記特性（ｓｂ、ｓｔ）に基づいて前記送信パワー範囲（Ｐｒｅｄ）を決定するステップとを含む請求項１乃至３のいずれか１項に記載の方法。
【請求項５】
前記少なくとも１つの特性を決定するステップは、マクロ基地局（１５）、ピコ基地局（２１）、および／または前記端末（１７）の送信バッファ（３１、４７）のバッファ・ステータス情報（ｓｂ、ｓｔ）を取得するステップを含む請求項４に記載の方法。
【請求項６】
マクロ・セル（１３）および／またはピコ・セル（１９）内の端末（１７）の密度を示すパラメータに基づいて、好ましくは、特定のマクロ基地局（２１）またはピコ基地局（２１）に登録された端末（１７）の数（ｎｍ、ｎｐ）に基づいて、前記送信パワー範囲（Ｐｒｅｄ）を決定するステップを含む請求項１乃至５のいずれか１項に記載の方法。
【請求項７】
前記伝送資源（５３）の前記第１の部分（Ｂ１；Ｆ１、…、Ｆ３、Ｆ５、…、ＦＮ）を前記ピコ・セル（１９）に割り当てるステップと、前記第１の部分（Ｂ１；Ｆ１、…、Ｆ３、Ｆ５、…、ＦＮ）を使用して前記ピコ基地局（２１）によって伝送される無線信号の伝送パワーをピコ・セル送信パワー範囲（Ｐｐｉｃｏ，ｒｅｄ）に制限するステップとを含み、前記ピコ・セル送信パワー範囲（Ｐｐｉｃｏ，ｒｅｄ）は、前記ピコ基地局（２１）によって前記ピコ・セル（１９）内で伝送される前記信号の最大送信パワー（Ｐｐｉｃｏ）より小さい請求項１乃至６のいずれか１項に記載の方法。
【請求項８】
前記ピコ基地局（２１）に登録され、前記ピコ・セル（２１）の境界領域（６２）に位置する少なくとも一部の端末（１７）をスケジューリングして、前記伝送資源（５３）の前記第２の部分（Ｂ２；Ｆ４）を使用して伝送するステップ、および／またはマクロ基地局（１３）に登録され、前記ピコ・セル（１９）の前記境界領域（６２）に位置する少なくとも一部の端末（１７）をスケジューリングして、前記伝送資源（５３）の前記第１の部分（Ｂ１；Ｆ１、…、Ｆ３、Ｆ５、…、ＦＮ）を使用して伝送するステップ、および／またはマクロ基地局（１３）に登録され、ピコ・セル（１９）の任意の境界領域（６２）の外部に位置する少なくとも一部の端末（１７）をスケジューリングして、前記伝送資源（５３）の前記第２の部分（Ｂ２；Ｆ４）を使用して伝送するステップを含む請求項１乃至７のいずれか１項に記載の方法。
【請求項９】
前記第１の部分（Ｂ１）および／または前記第２の部分（Ｂ２）は、少なくとも１つの端末（１７）に関係する前記トラフィック（６０）の前記特性（ｓｂ、ｓｔ）および／または端末（１７）の密度を示す前記パラメータ（ｎｍ、ｎｐ）に基づいて決定される請求項１乃至８のいずれか１項に記載の方法。
【請求項１０】
前記伝送資源（５３）は複数のチャネル（５５）を含み、前記複数のチャネルのそれぞれが個別の周波数帯（Ｂ１、Ｂ２）を占め、前記無線資源の前記第２の部分は、前記複数のチャネルの１つのチャネル（Ｂ２）に対応する請求項２乃至９のいずれか１項に記載の方法。
【請求項１１】
前記無線伝送資源（５３）の第３の部分、好ましくは前記伝送資源（５３）の第３の周波数範囲（Ｆ１、Ｆ２、Ｆ３）を少なくとも１つのマクロ基地局（１５）に割り当てて、前記第３の部分（Ｆ１、Ｆ２、Ｆ３）を使用して前記無線信号を伝送するステップと、前記第３の部分（Ｆ１、Ｆ２、Ｆ３）を使用して伝送される前記無線信号の最大伝送パワーを前記第１の部分を使用して伝送される前記信号の最大送信パワー（Ｐｆ）より小さいさらなる送信パワー範囲（Ｐｍ）に制限するステップとを含む請求項１乃至１０のいずれか１項に記載の方法。
【請求項１２】
セルラー・ネットワーク（１１）の複数のマクロ・セル（１３）の少なくとも１つを制御する複数のマクロ基地局（１５）と、前記セルラー・ネットワーク（１１）の少なくとも１つのピコ・セル（１９）を制御する少なくとも１つのピコ基地局（２１）とを含む前記セルラー通信ネットワーク（１１）のネットワーク要素（１５、２１、５１）であって、前記ピコ・セル（１９）は、少なくとも１つのマクロ・セル（１３）内に少なくとも部分的に位置し、前記ネットワーク要素（１５、２１、５１）は、
前記セルラー・ネットワーク（１１）の無線伝送資源（５３）の第１の部分（Ｂ１；Ｆ１、…、Ｆ３、Ｆ５、…、ＦＮ）および前記伝送資源（５３）の第２の部分（Ｂ２；Ｆ４）を前記複数のマクロ基地局（１５）のそれぞれに割り当てて、前記伝送資源（５３）の前記第１の部分（Ｂ１；Ｆ１、…、Ｆ３、Ｆ５、…、ＦＮ）および前記第２の部分（Ｂ２；Ｆ４）を使用して無線信号を伝送し（５７）、
前記第２の部分（Ｂ２；Ｆ４）を使用して伝送される前記無線信号の最大伝送パワーを前記第１の部分（Ｂ１；Ｆ１、…、Ｆ３、Ｆ５、…、ＦＮ）を使用して伝送される前記信号の最大送信パワー（Ｐｆ）より小さい送信パワー範囲（Ｐｒｅｄ）に制限する
ように構成された、セル間干渉調整するための制御回路（３７、５２）を備え、
前記制御回路（３７）は、
前記伝送資源（５３）の前記第２の部分（Ｂ２；Ｆ４）を前記ピコ基地局（２１）に割り当てて、前記伝送資源（５３）の前記第２の部分（Ｂ２；Ｆ４）を使用して前記無線信号を伝送する（５９）
ように構成されたネットワーク要素。
【請求項１３】
前記制御回路（３７、５２）は、請求項１乃至１１のいずれか１項に記載の方法を実行するように構成される請求項１２に記載のネットワーク要素（１５、２１、５１）。
【請求項１４】
前記ネットワーク要素は、前記セルラー・ネットワーク（１１）のマクロ基地局（１５）または前記セルラー・ネットワーク（１１）のピコ基地局（２１）である請求項１１または請求項１２に記載のネットワーク要素。
【請求項１５】
セルラー・ネットワーク（１１）の複数のマクロ・セル（１３）の少なくとも１つを制御する複数のマクロ基地局（１５）と、前記セルラー・ネットワーク（１１）の少なくとも１つのピコ・セル（１９）を制御する少なくとも１つのピコ基地局（２１）とを含む、セルラー通信ネットワーク（１１）であって、前記ピコ・セル（１９）は、少なくとも１つのマクロ・セル（１３）内に少なくとも部分的に位置し、前記ネットワーク（１１）は、
前記セルラー・ネットワーク（１１）の無線伝送資源（５３）の第１の部分（Ｂ１；Ｆ１、…、Ｆ３、Ｆ５、…、ＦＮ）および前記伝送資源（５３）の第２の部分（Ｂ２；Ｆ４）を前記複数のマクロ基地局（１５）のそれぞれに割り当てて、前記伝送資源（５３）の前記第１の部分（Ｂ１；Ｆ１、…、Ｆ３、Ｆ５、…、ＦＮ）および前記第２の部分（Ｂ２；Ｆ４）を使用して無線信号を伝送し（５７）、
前記第２の部分（Ｂ２；Ｆ４）を使用して伝送される前記無線信号の最大伝送パワーを前記第１の部分（Ｂ１；Ｆ１、…、Ｆ３、Ｆ５、…、ＦＮ）を使用して伝送される前記信号の最大送信パワー（Ｐｆ）より小さい送信パワー範囲（Ｐｒｅｄ）に制限する
ように構成され、
前記ネットワーク（１１）は、請求項１乃至１１のいずれか１項に記載の方法を実行するように構成される、
セルラー通信ネットワーク。
【発明の詳細な説明】
【技術分野】
【０００１】
本発明は、セルラー・ネットワークのマクロ・セルを制御する複数のマクロ基地局と、セルラー・ネットワークのピコ・セル（低パワーセルとも呼ぶ）を制御する少なくとも１つのピコ基地局（低パワー基地局とも呼ぶ）とを含むセルラー通信ネットワークにおいてセル間干渉調整（ＩＣＩＣ）するための方法に関し、前記ピコ・セルは、少なくとも１つのマクロ・セル内に少なくとも部分的に位置する。さらに、本発明は、そのようなセルラー通信ネットワークのネットワーク要素に関する。さらに、本発明は、セルラー・ネットワークのマクロ・セルを制御する複数の基地局と、セルラー・ネットワークのピコ・セルを制御する少なくとも１つのピコ基地局とを含むセルラー通信ネットワークに関し、前記ピコ・セルは、少なくとも１つのマクロ・セル内に少なくとも部分的に位置する。
【背景技術】
【０００２】
セル間干渉調整（ＩＣＩＣ）は、当技術分野で知られている。特に、Ｌｏｎｇ  Ｔｅｒｍ  Ｅｖｏｌｕｔｉｏｎ（ＬＴＥ）のセルラー方式の無線アクセス・ネットワークの基地局（いわゆるｅＮｏｄｅＢ）およびその後継であるＬＴＥ  ａｄｖａｎｃｅｄは、セル間干渉を減らし、無線アクセス・ネットワークの全体的なスペクトル効率および／または全体的なスループットを改善するために、隣接する基地局との無線伝送資源の割当てを調整することができる。
【０００３】
セル間干渉調整の既知の手法は、断片的な周波数再利用（ｆｒａｃｔｉｏｎａｌ  ｆｒｅｑｕｅｎｃｙ  ｒｅｕｓｅ）である。断片的な周波数再利用によれば、マクロ・セルの基地局は、無線信号を伝送するために無線伝送資源の第１の部分を使用し、その送信パワーは、最大送信パワーに達することができる。無線伝送資源の第１の部分を使用することによって、基地局は、基地局によって制御されたセルのエッジに位置するセルラー通信ネットワークの端末に接触することができる。基地局は、隣接するマクロ・セルとのセル間干渉を減らすために、制限された送信パワーを用いて伝送資源の他の部分を使用する。隣接するマクロ・セルの基地局は、前記隣接するマクロ・セルのセル・エッジに位置する端末と通信するために、伝送資源のさらなる部分を使用することができる。したがって、基地局は、セルの内部領域に位置する端末のために伝送資源のすべての部分を使用し、セルのセル・エッジ領域に位置する端末のために伝送資源の一部だけを使用することができる。
【０００４】
セル間干渉調整のための既知の手法では、隣接し合うマクロ・セルの干渉を減らすことが可能になる。しかし、セル間干渉調整の既知の手法では、マクロ・セルとマクロ・セル内に位置するピコ・セルとの間の干渉の制御は可能にならない。
【発明の概要】
【発明が解決しようとする課題】
【０００５】
本発明は、セルラー通信ネットワークのセルのスループットおよび／またはセルラー・ネットワークの伝送資源のスペクトル効率を改善する方法、ネットワーク要素、およびセルラー通信ネットワークを提供することを目的とする。
【課題を解決するための手段】
【０００６】
この目的の第１の解決策として、セルラー通信ネットワークにおいてセル間干渉調整するための方法が提案されており、ネットワークは、セルラー・ネットワークの複数のマクロ・セルの少なくとも１つを制御する複数のマクロ基地局と、セルラー・ネットワークの少なくとも１つのピコ・セルを制御する少なくとも１つのピコ基地局とを含み、前記ピコ・セルは、少なくとも１つのマクロ・セル内に少なくとも部分的に位置し、前記方法は、セルラー・ネットワークの無線伝送資源の第１の部分および前記伝送資源の第２の部分を前記複数のマクロ基地局のそれぞれに割り当てて、前記伝送資源の第１の部分および第２の部分を使用して無線信号を伝送するステップと、第２の部分を使用して伝送される無線信号の最大伝送パワーを送信パワー範囲に制限するステップとを含み、送信パワー範囲は、第１の部分を使用して伝送される信号の最大送信パワー未満であり、本方法は、前記伝送資源の第２の部分をピコ基地局に割り当てて、前記伝送資源の第２の部分を使用して無線信号を伝送するステップをさらに含む。
【０００７】
一実施形態では、第１の部分の少なくとも一部は、ピコ基地局にも割り当てられる。
【０００８】
言い換えると、マクロ・セルの基地局は、伝送資源の第２の部分を使用して無線信号を伝送するときに、前記送信パワー範囲に制限される伝送パワーを使用し、それにより、ピコ・セルのピコ基地局は、少ない干渉でピコ基地局に登録された端末と通信するために第２の部分を使用することができる。好ましくは、ピコ基地局は、ピコ・セルの境界領域内に位置する端末と通信するために、つまりピコ・セル基地局からやや遠くに位置する端末と通信するために、伝送資源の第２の部分を使用する。第２の部分を使用して、マクロ基地局によって伝送される無線信号の最大伝送パワー範囲を制限することにより、マクロ・セルとその中に組み込まれたピコ・セルとの間の干渉を減らすだけでなく、ピコ・セルのセル・サイズを拡大することもできる。
【０００９】
無線資源は、時間によって第１の部分および第２の部分に分割することができる。時間は、複数の連続するタイム・ユニットに細分化することができる。これらのタイム・ユニットの第１のサブセットは、第１の部分に対応し、タイム・ユニットの第２のサブセットは、第２の部分に対応することができる。好ましい実施形態では、無線伝送資源は周波数に従って分割され、つまり、第１の部分は、第１の周波数範囲に対応し、かつ／または第２の部分は、伝送資源の第２の周波数範囲に対応する。
【００１０】
ＬＴＥでは、伝送資源は、複数の連続する物理資源ブロック（ＰＲＢ）に周波数領域において細分化される。時間領域では、伝送資源は、無線フレームの複数の連続するサブフレームに細分化される。
【００１１】
したがって、ＬＴＥに関する方法を使用する場合、第１の部分は、１つまたは複数の物理資源ブロックの１つの組に対応することができ、かつ／または第２の部分は、１つまたは複数の物理資源ブロックの第２の組に対応することができ、第１および第２の組は選言的である。一実施形態では、第１の部分および／または第２の部分は、連続する物理資源ブロックの１つの組に対応することができる。本発明はＬＴＥに関して適用できるが、異なるタイプのセルラー通信ネットワークに関しても適用できることに注意されたい。
【００１２】
一実施形態では、セルラー・ネットワークは、複数のピコ基地局のグループを含み、方法は、伝送資源の第２の部分を前記グループのすべてのピコ基地局に割り当てるステップを含む。したがって、その前記グループのすべてのピコ基地局は、伝送資源の第２の部分内において無線信号を伝送することができる。言い換えると、グループのすべてのピコ基地局、好ましくはセルラー・ネットワークのすべてのピコ基地局は、そのピコ基地局に登録された少なくとも１つの端末と通信するために、伝送資源の同一の第２の部分を使用する。
【００１３】
一実施形態では、送信パワー範囲は、手作業でのみ変更できる事前定義された静的な値である。他の実施形態では、送信パワー範囲は、セルラー通信ネットワーク、好ましくはマクロ基地局、ピコ基地局、および／または端末の稼働状態に基づいて、半静的にまたは動的に決定される。
【００１４】
特に、好ましい実施形態では、方法は、マクロ基地局および／またはピコ基地局に登録された少なくとも１つの端末に関係する通信トラフィックの少なくとも１つの特性を決定するステップと、前記特性に基づいて送信パワー範囲を決定するステップとを含む。
【００１５】
送信パワー範囲をトラフィックに適合させることにより、ピコ・セルのサイズ、つまり通信領域を適合するように変更することが可能になる。
【００１６】
一実施形態では、少なくとも１つの特性を決定するステップは、マクロ基地局、ピコ基地局、および／または端末の送信バッファのバッファ・ステータス情報を取得すステップを含む。送信バッファに関する情報は、マクロ基地局またはピコ基地局と端末との間で転送されるデータの量を推定することから可能になる。たとえば、端末がピコ基地局に登録されていて、伝送資源の第２の部分を使用してピコ基地局と通信している場合、および送信バッファに、伝送資源を通じて伝送される多くのデータ・パケットが格納されている場合、ピコ・セルとピコ・セルが組み込まれているマクロ・セルとの間の干渉を減らすために、送信パワーレベルを低下させることができるため、ピコ基地局と端末との間のデータ通信のスループットを改善することができる。
【００１７】
好ましくは、方法は、マクロ・セルおよび／またはピコ・セル内の端末の密度を示すパラメータに基づいて、好ましくは、特定のマクロ基地局またはピコ基地局に登録された端末の数に基づいて、送信パワー範囲を決定するステップを含む。たとえば、ピコ基地局に登録された端末の数を決定することができる。ピコ基地局に登録された端末の数が少ない場合、対応するピコ・セルの通信領域を拡大するために、マクロ基地局における送信パワー範囲を減らすことができるため、追加の端末をピコ基地局に登録することができる。
【００１８】
一実施形態では、方法は、伝送資源の第１の部分をピコ・セルに割り当てるステップと、第１の部分を使用してピコ基地局によって伝送される無線信号の伝送パワーをピコ・セル送信パワー範囲に制限するステップであって、ピコ・セル送信パワー範囲は、ピコ基地局によってピコ・セル内で伝送される信号の最大送信パワーより小さいステップとを含む。
【００１９】
好ましくは、方法は、ピコ基地局に登録され、ピコ・セルの境界領域に位置する少なくとも一部の端末をスケジューリングして、伝送資源の第２の部分を使用して伝送するステップ、および／またはマクロ基地局に登録され、ピコ・セルの境界領域に位置する少なくとも一部の端末をスケジューリングして、伝送資源の第１の部分を使用して伝送するステップ、および／またはマクロ基地局に登録され、ピコ・セルの任意の境界領域の外部に位置する少なくとも一部の端末をスケジューリングして、伝送資源の第２の部分を使用して伝送するステップを含む。前記スケジューリングは、マクロ基地局のスケジューラおよび／またはピコ基地局のスケジューラによって実行することができる。
【００２０】
一実施形態によれば、送信パワー範囲は、マクロ基地局ごとに別々に決定される。個々のマクロ基地局に対して送信パワー範囲の個別の値を決定することで、きめ細かいセル間干渉調整が可能になる。他の実施形態では、送信パワー範囲は、複数のマクロ基地局に対する単一の値として決定される。単一の値を定義することで、方法の実装形態が簡素化される。
【００２１】
一実施形態では、第１の部分および第２の部分への無線伝送資源の区分化は静的である。他の実施形態では、第１の部分および／または第２の部分は、少なくとも１つの端末に関係するトラフィックの前記特性および／または端末の密度を示す前記パラメータに基づいて決定される。すなわち、第１の部分および／または第２の部分は、たとえば、セルラー・ネットワークの稼働状態に基づいて半静的に決定することができる。
【００２２】
一実施形態では、伝送資源は複数のチャネルを含み、そのそれぞれが個別の周波数帯を占め、無線資源の第２の部分は、前記複数のチャネルの１つに対応する。
【００２３】
他の実施形態では、伝送資源は、複数のサブバンドに細分化された単一のチャネルを含み、第１の部分および／または第２の部分は、サブバンドの１つの組に対応する。好ましくは、第１の部分および／または第２の部分は、複数の連続するサブバンドの１つの組に対応する。これらのサブバンドは、周波数領域において連続的に配置することができる。一実施形態では、直交周波数分割変調（ＯＦＤＭ）などのマルチキャリア変調方式が適用される。チャネルは単一のＯＦＤＭキャリアに対応することができる。サブバンドは、ＯＦＤＭキャリアの複数の連続するサブキャリアに対応することができる。ＬＴＥでは、連続する１２のサブキャリアは、物理資源ブロック（ＰＲＢ）に対応する。一実施形態では、サブバンドは、１つのＰＲＢまたは複数の連続するＰＲＢに対応する。
【００２４】
一実施形態では、方法は、前記無線伝送資源の第３の部分、好ましくは伝送資源の第３の周波数範囲を少なくとも１つのマクロ基地局に割り当てて、第３の部分を使用して無線信号を伝送するステップと、第３の部分を使用して伝送される無線信号の最大伝送パワーを第１の部分を使用して伝送される信号の最大送信パワーより小さいさらなる送信パワー範囲に制限するステップとを含む。無線伝送資源の第３の部分は、隣接するマクロ・セル間のセル境界に位置する端末と通信するために隣接するマクロ基地局によって使用することができる。結果として、ピコ・セルとマクロ・セルとの間の干渉が調整されるだけでなく、隣接するマクロ・セル間の干渉が調整される。したがって、セル内干渉はさらに減り、セルラー・ネットワークのスペクトル効率および／または全体的なスループットはさらに改善される。
【００２５】
上記の目的の他の解決策は、セルラー・ネットワークの複数のマクロ・セルの少なくとも１つを制御する複数のマクロ基地局と、セルラー・ネットワークの少なくとも１つのピコ・セルを制御する少なくとも１つのピコ基地局とを含むセルラー通信ネットワークのネットワーク要素に存在し、前記ピコ・セルは、少なくとも１つのマクロ・セル内に少なくとも部分的に位置し、前記ネットワーク要素は、セルラー・ネットワークの無線伝送資源の第１の部分および前記伝送資源の第２の部分を前記複数のマクロ基地局のそれぞれに割り当てて、前記伝送資源の第１の部分および第２の部分を使用して無線信号を伝送し、第２の部分を使用して伝送される無線信号の最大伝送パワーを第１の部分を使用して伝送される信号の最大送信パワーより小さい送信パワー範囲に制限するように構成された、セル間干渉調整するための制御回路を備え、前記制御回路は、前記伝送資源の第２の部分をピコ基地局に割り当てて、前記伝送資源の第２の部分を使用して無線信号を伝送するように構成されている。このネットワーク要素は、上記の方法の前述の利点を有する。
【００２６】
好ましくは、制御回路は、本発明による方法を実行するように構成され、その実施形態については上述している。一実施形態では、制御回路は、本発明による方法を実行するようにプログラムされたプロセッサを含む。
【００２７】
一実施形態では、ネットワーク要素は、セルラー・ネットワークのマクロ基地局またはセルラー・ネットワークのピコ基地局である。
【００２８】
前述の目的の他の解決策は、セルラー・ネットワークの複数のマクロ・セルの少なくとも１つを制御する複数のマクロ基地局と、セルラー・ネットワークの少なくとも１つのピコ・セルを制御する少なくとも１つのピコ基地局とを含むセルラー通信ネットワークに存在し、前記ピコ・セルは、少なくとも１つのマクロ・セル内に少なくとも部分的に位置し、前記ネットワークは、セルラー・ネットワークの無線伝送資源の第１の部分および前記伝送資源の第２の部分を前記複数のマクロ基地局のそれぞれに割り当てて、前記伝送資源の第１の部分および第２の部分を使用して無線信号を伝送し、第２の部分を使用して伝送される無線信号の最大伝送パワーを第１の部分を使用して伝送される信号の最大送信パワーより小さい送信パワー範囲に制限するように構成され、ネットワークは、請求項１乃至１１のいずれか１項による方法を実行するように構成され、その実施形態については上述している。
【００２９】
このセルラー通信ネットワークには、上記の方法およびネットワーク要素について上記の長所を有する。
【００３０】
本発明の好適な実施形態および他の利点について図に示し、以下に詳細に説明する。
【図面の簡単な説明】
【００３１】
【図１】セルラー通信ネットワークを示す図である。
【図２】図１に示すセルラー・ネットワークのネットワーク要素を示す図である。
【図３】無線伝送資源割当てを示すグラフである。
【図４】別の実施形態による図３に類似する無線伝送資源割当てを示すグラフである。
【図５】さらなるセルラー・ネットワークを示す図である。
【発明を実施するための形態】
【００３２】
説明および図面は、単に本発明の原理を示すものである。本明細書に明示的に記述して示していないが、本発明の原理を具体化し、その精神および範囲に含まれるさまざまな構成を当業者であれば考案できることを理解されるだろう。さらに、本明細書に詳述したすべての例は、原則として、読者が本発明の原理、およびその技術を推進する発明者らによって提供された概念を理解するのを支援するために、教示のみを目的とすることを明確に意図するものであり、そのような具体的には詳述された例および条件に限定しないものとして解釈するべきである。さらに、本明細書において、本発明の原理、態様、および実施形態を詳述するすべての記述、およびその特定の例は、その等価物を包含することを意図するものである。
【００３３】
図１は、複数のマクロ・セル１３を有するセルラー・ネットワーク１１を示している。各マクロ・セル１３には、マクロ・セル１３、特に、そのマクロ・セル１３内に位置し、そのマクロ・セル１３のマクロ基地局１５に登録された端末１７を制御するためにマクロ基地局１５が配置されている。図示した実施形態では、単一のマクロ基地局１５が３つのマクロ・セル１３に割り当てられている。他の実施形態では、１つだけのマクロ・セル１３がマクロ基地局１５に割り当てられる。
【００３４】
さらに、セルラー・ネットワーク１１は複数のピコ・セル１９を有し、そのそれぞれはピコ基地局２１を有する。図示した代表的な実施形態では、各ピコ基地局２１は、対応するピコ基地局２１に登録された１つのピコ・セル１９および端末１７を正確に制御する。ピコ基地局２１によって伝送される無線信号の最大伝送パワーは、マクロ基地局１５によって送信される無線信号の最大伝送パワーより小さい。結果的に、ピコ・セル１９のサイズ、つまりピコ・セルの通信領域は、マクロ・セル１３のサイズより小さい。ピコ・セル１９は、少なくとも１つのマクロ・セル１３とオーバーラップする。ピコ基地局２１は、好ましくは、端末１７の密度が比較的高い領域内に位置する。ピコ・セル１９内に位置する端末１７の少なくとも一部は、マクロ・セル１３を離れ、ピコ・セル１９のピコ基地局２１に登録することができる。このようにして、端末１７の密度が高い領域にピコ基地局２１を設置することは、高い端末密度を有するその領域に位置する端末１７のユーザーが経験するサービスの品質および／またはチャネル容量を改善するのに役立つ。
【００３５】
セルラー・ネットワーク１１は、Ｌｏｎｇ  Ｔｅｒｍ  Ｅｖｏｌｕｔｉｏｎ（ＬＴＥ）またはＬｏｎｇ  Ｔｅｒｍ  Ｅｖｏｌｕｔｉｏｎ  ａｄｖａｎｃｅｄ（ＬＴＥ  ａｄｖａｎｃｅｄ）移動通信システムの一部でもよい。ＬＴＥおよびＬＴＥ  ａｄｖａｎｃｅｄの両方は、Ｔｈｉｒｄ  Ｇｅｎｅｒａｔｉｏｎ  Ｐａｒｔｎｅｒｓｈｉｐ  ｐｒｏｊｅｃｔ（３ＧＰＰ）によって指定されている。しかし、本発明はＬＴＥまたはＬＴＥ  ａｄｖａｎｃｅｄに限定されるものではない。本発明は、異なるタイプのセルラー・ネットワークまたは移動通信システムに関しても適用することができる。
【００３６】
図２に示すように、各マクロ基地局１５は、第１の送信機２５および第１の受信機２７を有する第１の送受信装置２３を含む。第１の送信機２５は端末１７に無線信号を伝送でき、第１の受信機２７は端末１７から無線信号を受信できるように、第１の送信機２５および第１の受信機２７は第１のアンテナ２９に結合されている。マクロ基地局１５は、第１の送信機２５に結合され、第１の送信機２５によって伝送されるデータ・パケットをバッファリングするために配置された第１の送信バッファ３１を含む。さらに、マクロ基地局１５は、セルラー・ネットワーク１１の相互接続ネットワーク３５に接続されるネットワーク・インタフェース回路３３を有する。相互接続ネットワーク３５は、固定ネットワークまたはワイヤレス・ネットワークでもよい。一実施形態では、少なくとも１つのピコ基地局２１は、中継ノードが割り当てられているドナー基地局として機能するマクロ基地局１５への無線リンクを使って接続されている中継ノードである。
【００３７】
さらに、マクロ基地局１５は、マクロ基地局１５を制御するために配置された第１の制御回路３７を有する。ピコ基地局２１は、マクロ基地局１５のように本質的に同じ構成を有する。具体的には、ピコ基地局２１は、また、第１の送受信装置２３、送信バッファ３１、ネットワーク・インタフェース回路３３、および第１の制御回路３７を含む。第１の制御回路３７は、対応する基地局１５、２１と、その基地局１５、２１に登録された端末１７との間の伝送をスケジューリングするためのスケジューラを含むことができる。マクロ基地局１５およびピコ基地局２１の両方は、相互接続ネットワーク３５を使って互いに相互連結されている。
【００３８】
各端末１７は、第２の送信機４１および第２の受信機４３を有する第２の送受信装置３９を含む。第２の送信機４１は、基地局１５、２１に無線信号を伝送するために端末１７の第２のアンテナ４５に結合される。第２の受信機４３は、基地局１５、２１から無線信号を受信するために第２のアンテナ４５に結合されている。端末１７は、第２の送信機４１によって伝送されるデータ・パケットを格納するために第２の送信バッファ４７をさらに含む。端末１７の第２の制御回路４９は、端末１７を制御するために配置される。第１の制御回路３７および第２の制御回路４９の両方は、マイクロ・コンピュータ、特に、基地局１５、２１または端末１７を制御するためにプログラムされたマイクロコントローラなどのプロセッサを含むことができる。具体的には、第１の制御回路３７は、セル間干渉調整のための方法を実行するために配置またはプログラムすることができる。
【００３９】
一実施形態では、ネットワーク１１は、相互接続ネットワーク３５に接続された中央ネットワーク要素５１を含むことができる。中央ネットワーク要素５１は、好ましくはプロセッサを含み、セル間干渉調整のための方法を実行するために配置および／またはプログラムされた第３の制御回路５２を含むことができる。他の実施形態では、中央ネットワーク要素５１は省略される。
【００４０】
ＬＴＥまたはＬＴＥ  ａｄｖａｎｃｅｄにおいて、基地局１５、２１は拡張ノードＢ（ｅＮｏｄｅＢ）とも呼ばれる。端末は、ユーザー装置（ＵＥ）とも呼ばれる。
【００４１】
以下において、セル間干渉調整（ＩＣＯＩＣ）のための方法について、より詳細に記述する。この方法は、マクロ・セル１３と、このマクロ・セル１３によってオーバーラップされるピコ・セル１９との間の干渉を調整することが目的であるだけでなく、隣接するマクロ・セル１３間の干渉を調整することも目的としている。
【００４２】
一実施形態では、図３に示すように、無線伝送資源５３は２つのチャネル５５を含む。各チャネル５５は、個別の周波数帯Ｂ１およびＢ２を占める。図示する実施形態において、チャネル５５は直接的に隣接する。つまり、２つの周波数帯Ｂ１とＢ２との間にギャップはない。他の実施形態では、チャネル５５は直接的に隣接せず、２つの周波数帯Ｂ１とＢ２との間にギャップがある。チャネル５５は、無線伝送資源５３の２つの部分に対応し、第１の周波数帯Ｂ１は、伝送資源の第１の部分に対応し、第２の周波数帯Ｂ２は、伝送資源の第２の部分に対応する。
【００４３】
方法によれば、伝送資源５３は、図３に示すマクロ・セル資源割当て５７に従ってマクロ基地局１５に割り当てられる。伝送資源５３の第１の部分、つまり第１の周波数帯Ｂ１は、マクロ・セル１３に割り当てられる。すなわち、マクロ基地局１５は、最大送信パワーＰｆを有する第１の周波数帯Ｂ１の少なくとも一部を使用して、無線信号を伝送することができる。第２の周波数帯Ｂ２は、マクロ・セル１３にも割り当てられる。しかし、第２の周波数帯Ｂ２を使用する場合、マクロ基地局１５は、無線信号の伝送パワーを送信パワー範囲Ｐｒｅｄに制限する。つまり、マクロ基地局１５は、低下した伝送パワーで伝送する。しかし、第１の周波数帯Ｂ１を使用して伝送するときに適用できる伝送パワーは、送信パワー範囲Ｐｒｅｄに制限されない。
【００４４】
方法によれば、両方の周波数帯Ｂ１、Ｂ２は、ピコ・セル資源割当て５９のグラフに示すようにピコ・セル１９に割り当てられる。一実施形態では、第１の周波数帯Ｂ１全体は、ピコ・セル１９に割り当てられる。他の実施形態では、第１の周波数帯Ｂ１の一部だけがピコ・セル１９に割り当てられる（ピコ・セル資源割当て５９のグラフで、囲まれた領域（ｈｅｄｇｅｄ  ｒｅｇｉｏｎ）を参照）。
【００４５】
マクロ基地局１５の伝送パワーを送信パワー範囲Ｐｒｅｄに制限することは、ピコ・セル１９の通信領域が拡大する効果がある（いわゆる「フード・プリント増加（ｆｏｏｄ  ｐｒｉｎｔ  ｉｎｃｒｅａｓｅ）」）。図１は、無制限の伝送パワーで第２の周波数帯Ｂ２を使用してマクロ基地局１５が無線信号を伝送する場合の結果となるピコ・セル１９の通信領域Ａ１を示している。領域Ａ２は、第２の周波数帯Ｂ２を使用して伝送する場合に、マクロ基地局１５の伝送パワーが送信パワー範囲Ｐｒｅｄに制限されるときの結果となるピコ・セル１９の通信領域に対応する。通信領域Ａ１、Ａ２は、端末１７が対応するピコ基地局２１によって伝送された制御チャネル・データを受信できる領域に対応する。ＬＴＥでは、この制御チャネルは、物理ダウンリンク制御チャネル（ＰＤＣＣＨ）、物理ブロードキャスト・チャネル（ＰＢＣＨ）、物理制御フォーマット指示チャネル（ＰＣＦＩＣＨ）、物理ハイブリッドＡＲＱインジケータ・チャネル（ＰＨＩＣＨ）、または他の制御チャネルに対応することができる。
【００４６】
隣接するマクロ・セル１３間の干渉を調整するために、無線伝送資源５３の第３の部分は、マクロ・セル１３に割り当てられる。伝送資源５３の第３の部分を使用して伝送する場合、マクロ基地局１５は、伝送パワーを最大伝送パワーＰｆより小さいさらなる送信パワー範囲Ｐｍに制限する必要がある。図示した実施形態では、第３の部分は、第１の周波数帯Ｂ１のサブバンドＦ１、Ｆ２、…、ＦＲである。概して、第１の周波数帯Ｂ１は、Ｒ個のサブバンドＦ１、…、ＦＲに細分化される。各マクロ・セル１３および対応するマクロ基地局１５に、単一のサブバンドＦ１、…、ＦＲが割り当てられる。結果として、各マクロ基地局１５は、他の送信パワー範囲Ｐｍに制限された伝送パワーで異なるサブバンドＦ１、…、ＦＲにおいて特定のマクロ・セル１３内で伝送している。
【００４７】
Ｍ１およびＭ２によって示したセルは隣接するマクロ・セル１３であると想定すると、これら２つのマクロ・セルＭ１とＭ２との間のセル間干渉を減らすために、マクロ・セルＭ１のマクロ基地局１５は、Ｍ１に登録され、サブバンドＦ４を使用してセルＭ１とＭ２との間のセル境界に位置する端末１７と通信することができる。したがって、マクロ・セルＭ２に登録され、マクロ・セルＭ１とＭ２との間の境界に位置する端末１７と通信するために、マクロ・セルＭ２のマクロ基地局１５は、サブバンドＦ３を使用することができる。複数の第３の部分Ｆ１、…、ＦＲ（たとえばサブバンドＦ１、…、ＦＲ）に無線資源５３を分割し、Ｒ個のマクロ・セル１３のグループの各マクロ・セル１３に異なる第３の部分を割り当て、各マクロ・セルに割り当てられた第３の部分Ｆ１、…、ＦＲ内の送信パワーをさらなる送信パワー範囲Ｐｍに制限するように、対応するマクロ基地局１５を構成または制御することは、「逆再利用（ｉｎｖｅｒｔｅｄ  ｒｅｕｓｅ）」とも呼ばれる。マクロ・セル１３の数および異なる第３の部分の数は、再利用要素Ｒと呼ばれる。
【００４８】
一実施形態では、特定のマクロ・セル１３に割り当てられた第３の部分は、また、そのマクロ・セル１３内に位置するピコ・セル１９に割り当てられる。そのピコ・セル１９のピコ基地局２１は、ピコ・セル１９の端部の領域に位置する端末１７と通信するために、この部分を使用することができる。図３に示す例では、ピコ・セルＰ１は、マクロ・セルＭ１内に位置する。結果的に、ピコ・セル１９の端部の領域、つまり、通信領域Ａ２の境界の近くに位置する端末１７と通信するために、そのピコ・セルＰ１は、第２の周波数帯Ｂ２だけでなくサブバンドＦ３も使用する。第２の周波数帯Ｂ２およびサブバンドＦ３の伝送資源、つまりピコ・セル１９が組み込まれているマクロ・セル１３に割り当てられた第３の部分を効率的に割り当てるために、クロス・キャリア・スケジューリング（ｃｒｏｓｓ−ｃａｒｒｉｅｒ  ｓｃｈｅｄｕｌｉｎｇ）を使用することができる。第２の周波数帯Ｂ２に関係するチャネル５５の制御チャネル（たとえばＰＤＣＣＨ）は、クロス・キャリア・スケジューリングが適用された端末１７に信号を送ることができる。
【００４９】
一実施形態では、ピコ基地局２１によって伝送された無線信号の最大伝送パワーＰｐｉｃｏは、信号が伝送される周波数帯Ｂ１、Ｂ２、またはサブバンドＦ１、…、ＦＲに基づいて変化しない。他の実施形態では、最大伝送パワーＰｐｉｃｏは、周波数帯Ｂ１、Ｂ２、またはサブバンドＦ１、…、ＦＲ５５に依存している。たとえば、第１の帯域Ｂ１の最大伝送パワーＰｐｉｃｏは、第２の帯域Ｂ２の最大送信パワーＰｐｉｃｏより小さいピコ・セル送信パワー範囲Ｐｐｉｃｏ，ｒｅｄに制限される場合がある。ピコ基地局２１は、好ましくは第２の帯域Ｂ２においてピコ・セル１９の境界の近くに位置する端末１７をスケジューリングすることができる。さらに、ピコ基地局２１は、第１の帯域Ｂ１においてピコ・セル２１の内部領域に位置する端末１７をスケジューリングすることができる。さらに、マクロ基地局１５は、このマクロ基地局１５によって制御され、好ましくは第１の帯域Ｂ１での伝送のために、ピコ・セル１９の境界に位置するマクロ・セル１３に登録された端末１７をスケジューリングすることができる。
【００５０】
図示する実施形態では、送信パワー範囲Ｐｒｅｄの値は、端末１７に関係するデータ・トラフィックの配分および／または端末１７の独自の密度に基づいて適合される。
【００５１】
このため、少なくとも１つの端末１７に関係する（つまり、その端末１７によって受信または伝送された）通信トラフィック６０の少なくとも１つの特性を決定することができる。たとえば、基地局１５、２１の第１の送信バッファ３１のステータス情報ｓｂおよび／または少なくとも１つの端末１７の第２の送信バッファ４７のステータス情報ｓｔを取得することができる。端末１７は、バッファ状況レポート（ＢＳＲ）を伝送することによって、それが登録されている基地局１５、２１にステータス情報ｓｔを報告することができる。基地局１５、２１および中央ネットワーク要素５１は、この情報ｓｂ、ｓｔを相互接続ネットワーク３５を通じて交換することができる。
【００５２】
さらに、方法によれば、マクロ・セル１３またはピコ・セル１９内の端末１７の密度を示す少なくとも１つのパラメータを決定することができる。たとえば、マクロ・セル１３に登録された端末１７の数ｎｍおよび／またはピコ・セル１９に登録された端末１７の数ｎｐを決定することができる。基地局１５、２１および中央ネットワーク要素５１は、このパラメータｎｍ、ｎｐを交換することができる。個々の端末１７に関係するトラフィックの特性ｓｂ、ｓｔ、および端末１７の密度を示すパラメータｎｍ、ｎｐを取得した後、方法は、この特性ｓｂ、ｓｔ、パラメータｎｍ、および／またはｎｐに基づいて送信パワー範囲Ｐｒｅｄの値を決定することができる。
【００５３】
一実施形態では、伝送資源５３の区分化は、少なくとも１つの端末１７に関係する通信トラフィックの特性に基づいて、たとえば、バッファ・ステータス情報ｓｂ、ｓｔに基づいて、および／または端末１７の空間的分布に基づいて、たとえば特定のセル１３、１９に位置する端末１７の数ｎｍ、ｎｐなど、端末の密度を示すパラメータに基づいて適合される。
【００５４】
セル間干渉によって影響を受けるマクロ・セル１３およびピコ・セル１９のグループにおいて適切なスケジューリングまたは保証されたビットレート・スケジューリングのためにスループットを最大化するために、送信パワー範囲Ｐｒｅｄおよび／または周波数帯Ｂ１とＢ２との間の無線資源５３の区分化を最適化することができる。
【００５５】
本発明による方法の他の実施形態によれば、無線資源５３は、単一の周波数チャネル５５のみを含む。このチャネル５５は、複数のサブバンドＦ１、…、ＦＮに細分化される。方法は、図４に描写した２つの図に示すように、マクロ・セル資源割当て５７を提供して、マクロ・セル１３に第１の部分（サブバンドＦ４を除くすべてのサブバンドＦ１、…、ＦＮ）、マクロ・セル１３に第２の部分（サブバンドＦ４）を割り当てる。マクロ基地局１５は、最大送信パワーＰｍａｘで無線信号を送信するために、第１の部分Ｆ１、…、Ｆ３、Ｆ５、…、ＦＮの少なくとも一部を使用することが許可される。しかし、マクロ・セル基地局１５は、第２の部分Ｆ４を使用して伝送された無線信号の伝送パワーを送信パワー範囲Ｐｒｅｄに制限する必要がある。第２の部分Ｆ４を使用するときに、すべてのマクロ基地局１５は制限された伝送パワーで伝送するため、ピコ基地局２１は、対応するピコ・セル１９のセル境界の近くに位置する端末１７と通信するために第２の部分Ｆ４を使用することができる。
【００５６】
さらに、逆再利用を実行することができる。各マクロ・セル１３について、無線資源５３の第３の部分が割り当てられ、第３の部分を使用して無線信号を送信する場合、対応するマクロ基地局１５は、さらなる送信パワー範囲Ｐｍに伝送パワーを制限する必要がある。図示した実施形態において、さらなる送信パワー範囲は、送信パワー範囲に等しい（Ｐｒｅｄ＝Ｐｍ）。他の実施形態では、これらの値は、互いに異なる（Ｐｒｅｄ≠Ｐｍ）。
【００５７】
図４は、図５に示すマクロ・セルＣ１、…、Ｃ７に使用されるマクロ・セル資源割当て５７を示している。図４には、特定のマクロ基地局１５によってのみ制限された送信パワーで使用できる伝送資源５３の第２の部分Ｆ４および第３の部分Ｆ３が描写されている。図４の３つの図に示している３つの異なるマクロ・セル資源割当て５７は、図５に描写したマクロ・セルＣ１、…、Ｃ７に使用される。各マクロ・セルＣ１、…、Ｃ７は同じ第２の部分Ｆ４を持ち、隣接するマクロ・セルの第３の部分（Ｆ１、Ｆ２、Ｆ３の１つ）は、隣接するマクロ・セル間のセル間干渉を減らすために異なる。
【００５８】
図５に示す代表的なセルラー・ネットワーク１１は３つのピコ・セル１９を持ち、その１つはマクロ・セルＣ４に完全に組み込まれ、他の１つはマクロ・セルＣ２、Ｃ３、およびＣ４とオーバーラップし、さらに他の１つはマクロ・セルＣ１およびＣ４とオーバーラップする。端末１７は、異なるマクロ・セルＣ１、…、Ｃ７および／またはピコ・セルから信号を受信することができる。すべてのマクロ・セルＣ１、…、Ｃ７およびすべてのピコ・セル１９は、異なるセル識別子（セルＩＤＳ）を有する。したがって、端末１７によって測定されるダウンリンク・フレームの参照信号は、異なるセルＣ１、…、Ｃ７、１９に関連させることができる。したがって、異なる基地局１５、２１から伝送される信号は、各端末１７によって区別することができる。
【００５９】
一実施形態では、ピコ基地局２１は、特定の制限なく伝送資源５３を使用する。たとえば、図４および図５に示す実施形態では、ピコ基地局２１は、すべてのサブバンドＦ１、…、ＦＮを使用して無線信号を伝送するために最大送信パワーを使用することができる。しかし、ピコ・セル２１の最大伝送パワーは、典型的には、マクロ・セルＣ１、…、Ｃ７の最大伝送パワーＰｍａｘより小さい。
【００６０】
他の実施形態では、干渉測定が実行され、これらの測定に基づいて、ピコ基地局２１による伝送資源５３の使用に関して追加的な制限が導入される。その測定は、ピコ・セル１９に登録された端末１７によって実行され、サービスを提供するピコ基地局２１にそれを報告することができる。これらの追加的な制限を導入することで、ピコ・セル１９と、オーバーラップするマクロ・セルＣ１、…、Ｃ７との間のセル間干渉がさらに減る。端末によって実行される測定は、伝送損失測定および干渉測定を含むことができる。
【００６１】
ピコ・セル１９に関係する追加的な制限を導入することを決定する場合、２つの代表的なケースを区別することができる。
【００６２】
第１のケースでは、ピコ・セル１９は、完全に１つのマクロ・セル内に位置する。つまり、そのピコ・セル１９は、１つのマクロ・セルのみとオーバーラップする。たとえば、図５は、完全にマクロ・セルＣ４内に位置するピコ・セル１９を示している。そのピコ・セル１９内に位置する端末１７は、これらの端末１９がマクロ・セルＣ４を最も強い干渉セルと見なすことを示す測定結果をそれらのサービスを提供するピコ基地局２１に報告する。さらに、ピコ基地局２１は、端末によって実行された測定結果に基づいて、端末１７が、ピコ・セル１９の内部領域６１に位置するか、またはそのマイクロ・セル２１の境界領域６２内に位置するかを決定することができる。一実施形態によれば、境界領域６２に位置する端末２１は、サブバンドＦ１および／またはＦ４でスケジューリングされる。この理由は、これらのサブバンドＦ１、Ｆ４は、マクロ・セルＣ４で制限されたパワーで使用されるためである。他の実施形態では、サブバンドＦ１およびＦ４は、マクロ・セルＣ４によってまったく使用されない。つまり、送信パワー範囲Ｐｒｅｄはゼロに設定される。好ましくは、ピコ・セルの内部領域６１に位置する端末１７は、すべての周波数サブバンドＦ１、…、ＦＮを使用することができる。
【００６３】
サブバンドＦ１およびＦ４のピコ・セル１９の境界領域６２に位置する端末１７のスケジューリングによって、周囲のマクロ・セルＣ４に対して小さな干渉が引き起こされる。理想的な状況では、干渉は、完全に回避することができる。
【００６４】
第２のケースでは、ピコ・セル１９は、複数のマクロ・セル間の境界に位置する。たとえば図５では、マクロ・セルＣ１とＣ４との間の境界に位置する１つのピコ・セル１９がある。このピコ・セル１９は、これら２つのマクロ・セルＣ１、Ｃ４とオーバーラップする。そのピコ・セル１９の境界領域６２に位置する端末１７は、サブバンドＦ４でスケジューリングされる。その理由は、サブバンドは、マクロ・セルＣ１およびＣ４のマクロ基地局１５によって制限された送信パワーＰｒｅｄで使用されるためである。他の実施形態では、送信パワー範囲Ｐｒｅｄはゼロであり、マクロ・セルＣ１およびＣ４はサブバンドＦ４をまったく使用しない。そのピコ・セル１９の内部領域６２に位置する端末１７は、それらの間の境界に位置する端末１７と通信するためにマクロ・セルＣ１およびＣ４によって使用されるサブバンドＦ１およびＦ２を例外として、すべての周波数サブバンドでスケジューリングすることができる。
【００６５】
他の実施形態では、ピコ・セル１９の境界領域６１に位置する端末は、ピコ・セル１９によってオーバーラップされるマクロ・セルのサブバンドの第３の部分に属するサブバンドでスケジューリングされる。さらに、ピコ基地局２１は、特定のマクロ・セルの第３の部分に属するサブバンドで、対応するピコ・セル１９の境界領域６２、およびそのマクロ・セル内に位置する端末１７をスケジューリングすることができる。たとえば、図５の右側のピコ・セル１９の境界領域６２、およびマクロ・セルＣ１内に位置する端末１７は、そのマクロ・セルＣ１に割り当てられた無線資源５３の第３の部分に対応するサブバンドＦ２でそのピコ・セルのピコ基地局２１によってスケジューリングすることができる。
【００６６】
ピコ・セル１９の境界領域６２を離れることなく（およびピコ局２１に登録されたままで）、その端末１７がマクロ・セルＣ４に移動する場合、ピコ基地局２１は、サブバンドＦ１で端末１７をスケジューリングすることができる。その理由は、サブバンドＦ１は、マクロ・セルＣ４に割り当てられた無線資源５３の第３の部分に対応するからである。さらに、ピコ基地局２１は、サブバンドＦ４で端末１７をスケジューリングすることができる。その理由は、すべてのマクロ基地局１５は、送信パワー範囲Ｐｒｅｄに制限された送信パワーで無線資源５３の第２の部分に対応するこのサブバンドを使用するためである。
【００６７】
サブバンドＦ１、…、ＦＮの送信パワーに関する制約および範囲は、静的にまたは半静的に構成することができる。一実施形態では、どの制約および範囲が静的に構成されるかによって、セルラー・ネットワークの無線伝送資源の第１の部分および前記伝送資源の第２の部分は、複数のマクロ基地局のそれぞれに静的に割り当てられて、伝送資源の第１の部分および第２の部分を使用して無線信号を伝送する。複数のマクロ基地局のそれぞれは、第２の部分を使用して伝送される無線信号の最大伝送パワーを、第１の部分を使用して伝送される信号の最大送信パワーＰｆより小さい送信パワー範囲Ｐｒｅｄに制限するように構成される。
【００６８】
一実施形態では、上記の方法は、基地局１５、２１などのセルラー・ネットワーク１１のネットワーク要素、または中央ネットワーク要素５１によって実行される。方法は、これらのネットワーク要素１５、２１、５１の１つによって実行することも、または複数のネットワーク要素１５、２１、５１で分散することもできる。両方の場合において、資源割当て５７、５９に関する情報は、相互接続ネットワーク３５を通じてネットワーク要素１５、２１、５１の間で交換することができる。このため、ＬＴＥのＸ２インタフェースを適用することができ、これにより、異なる基地局１５、２１間での情報交換が可能になる。特に、基地局１５、２１、および中央ネットワーク要素５１は、たとえば、送信パワー範囲Ｐｒｅｄまたはさらなる送信パワー範囲Ｐｍなど、パワーしきい値より低いパワー割当てを有することを保証される物理資源ブロック（ＰＲＢ）を示す相対的狭帯域送信パワー（ＲＮＴＰ：Ｒｅｌａｔｉｖｅ  Ｎａｒｒｏｗｂａｎｄ  Ｔｒａｎｓｍｉｔ  Ｐｏｗｅｒ）メッセージを交換することができる。
【００６９】
まとめると、上記の方法は、対応するピコ・セル１９の境界領域６１内に位置する端末１７と通信するために、ピコ基地局２１によって使用できる伝送資源５３の一部を予約することによって、１つまたは複数のマクロ・セル１３にオーバーラップするピコ・セル１９間の干渉を減らすことを可能にする。マクロ基地局１５は、伝送パワー範囲Ｐｒｅｄに制限された伝送パワーで無線伝送資源５３のこの部分で伝送する。あるいは、マクロ基地局１５は、無線伝送資源５３のこの部分でまったく伝送しない。さらに、隣接するマクロ・セル間の干渉を調整するため、およびピコ・セル２９および／またはマクロ・セル１３の間の干渉をさらに減らすために、逆再利用方式が使用される。さらに、方法は、このピコ・セル１９の最大送信パワーを高めることなく、ピコ・セル１９のサイズを拡大することを可能にする。
【図１】
2013537385.tif 000003
【図２】
2013537385.tif 000004
【図３】
2013537385.tif 000005
【図４】
2013537385.tif 000006
【図５】
2013537385.tif 000007
【国際調査報告】
2013537385.tif 000008
2013537385.tif 000009
2013537385.tif 000010